(57)【要約】  【課題】  通信装置に接続のデータ通信端末装置が、対向するデータ通信端末装置とコネクションを維持するために、間欠的に行っていた無線通信を停止して、消費電力を低減することができる通信装置を提供する。  【解決手段】  データ通信端末装置３に接続する通信装置２であって、データ通信端末装置３と、対向するデータ通信端末装置１との間で、データ通信の開始時の通信開始手続か、もしくはデータ通信の終了時の通信終了手続の、少なくともいずれかの手続きを行う手続手段（２３，２５，２４）を備えることを特徴とする。【選択図】  図１
2005151504.tif 000002
【特許請求の範囲】
【請求項１】
データ通信端末装置に接続する通信装置であって、前記データ通信端末装置と、対向するデータ通信端末装置との間で、データ通信の開始時の通信開始手続か、もしくはデータ通信の終了時の通信終了手続の、少なくともいずれかの手続きを行う手続手段を備えることを特徴とする通信装置。
【請求項２】
請求項１記載の通信装置において、前記手続手段は、前記データ通信端末装置が動作中か否かを判定する判定手段と、該判定手段により前記データ通信端末装置の動作状態が変化したことを判定した際に前記通信開始手続または前記通信終了手続を行う手段とを備えることを特徴とする通信装置。
【請求項３】
請求項１または２記載の通信装置において、前記通信装置は、複数の通信処理手順のうち少なくとも１つ以上の通信手順に基づいて通信処理を行う通信管理手段を有するデータ通信端末装置に接続する通信装置であって、前記通信管理手段が実行する通信処理手順の種別を監視する監視手段と、該監視手段により検出された通信処理手順に基づいて通信終了手続きを行う手段とを備えることを特徴とする通信装置。
【請求項４】
データ通信端末装置に接続する通信装置であって、該通信装置を介して対向するデータ通信端末装置との間でデータ通信を行う複数の通信手段と、該複数の通信手段のそれぞれの所定の通信処理手順に基づく通信の接続を管理する通信管理手段とを備え、該通信管理手段が対向するデータ通信端末装置の通信管理手段との間で、データ通信の開始時の通信開始手続か、もしくは通信の終了時の通信終了手続の、少なくともいずれかの手続きを行う通信装置において、前記データ通信端末装置が動作中か否かを検出する判定手段と、該判定手段により前記データ通信端末装置の動作状態が変化したことを判定した際に、前記複数の通信手段のうちの少なくとも１つの通信手段により前記通信開始手続または前記通信終了手続を行う手段とを備えることを特徴とする通信装置。
【発明の詳細な説明】
【技術分野】
【０００１】
本発明は、通信カーナビや携帯端末などのデータ通信端末に対して、無線通信機能を付与する携帯電話などの通信装置に関する。
【背景技術】
【０００２】
現在、携帯電話を利用して無線データ通信を行う通信カーナビ装置や携帯端末が市場に見られ、また特許文献１では通信カーナビ装置について同様の提案がされている。
【０００３】
上記の通信カーナビ装置や携帯端末では、パソコンやＰＤＡなどのデータ通信機能を持った端末装置（以下、データ通信端末と呼ぶ）が、携帯電話などの通信装置（以下、移動局と呼ぶ）が提供する無線通信機能を利用して無線データ通信を行っている。
【０００４】
一般に通信の方式には、実際の通信に先立って相手のデータ通信機能を持った端末装置（以下、基地局と呼ぶ）との間で所定の手順によって通信路（コネクション）の確立を行うコネクション型通信と、コネクションの確立を必要としないコネクションレス型通信があるが、上記の無線データ通信では、無線通信とデータ通信のそれぞれがコネクション型通信を行っている例が多い。
【０００５】
データ通信端末は、基地局側にあるゲートウェイ装置との間でｐｐｐなどのプロトコルによるコネクション型通信を行い（以下、この通信のコネクションをデータ通信レベルコネクションと呼ぶ。）、これによりデータ通信端末とゲートウェイ装置との間の通信で使用する認証プロトコルやデータ圧縮プロトコルなどの通信パラメータを共有することができる。
【０００６】
また無線通信を行う移動局は、基地局との間でコネクション型通信を行い（以下、この通信のコネクションを無線通信レベルコネクションと呼ぶ。）、移動局の位置を基地局に通知する。これにより基地局は自局の通信領域内に存在する移動局を把握して、移動体通信網から移動局への通信を中継することができる。
【０００７】
【特許文献１】特開平９−２７５４５０号公報
【発明の開示】
【発明が解決しようとする課題】
【０００８】
コネクション型通信では実際の通信に先立ってコネクションを確立し、通信の終了後にコネクションの切断を行う。コネクションを維持している間は、コネクションを確立した相手に関する情報を保持し、また実際の通信が必要なくともコネクションを維持するために間欠的な通信が必要となる場合がある。
【０００９】
前記の通信カーナビや携帯端末などのデータ通信端末が行うデータ通信に関しては、コネクションを維持している間、ゲートウェイ装置は、データ通信端末との通信で使用する通信パラメータやデータ通信端末の認証情報などを記憶領域に保持していなければならない。
【００１０】
また前記の携帯電話の移動局と基地局の間で行う無線通信に関しては、コネクションを維持するために実際の通信が無い場合でも移動局は間欠的に自局の存在を基地局に通知し、そのために電力を消費する。
【００１１】
上記のように、コネクションを維持するためには、記憶領域の割り当てや、間欠的な通信による電力消費が必要になるため、コネクションを維持する必要がない場合にはコネクションを切断する事が好ましい。
【００１２】
しかし、コネクションの維持、切断を適切に行わないと、次のような課題がある。
【００１３】
無線通信レベルコネクションを切断すると、実際に通信を始める前に基地局と移動局の間で再びコネクションを確立する手順が必要となり、通信の開始が遅れる。
【００１４】
また、データ通信端末はユーザー操作による電源断や省電力モードへの移行の際に、データ通信レベルコネクションの切断動作をしないで通信を停止することがあり、その際、ゲートウェイ装置ではデータ通信レベルコネクションを維持し、割り当てた記憶領域を占有し続けるため、より多くの記憶領域を必要とする。
【００１５】
本発明の目的は、通信装置に接続のデータ通信端末装置が、対向するデータ通信端末装置とコネクションを維持するために、間欠的に行っていた無線通信を停止して、消費電力を低減することができる通信装置を提供することにある。
【課題を解決するための手段】
【００１６】
本発明による請求項１記載の通信装置は、データ通信端末装置に接続する通信装置であって、前記データ通信端末装置と、対向するデータ通信端末装置との間で、データ通信の開始時の通信開始手続か、もしくはデータ通信の終了時の通信終了手続の、少なくともいずれかの手続きを行う手続手段を備えることを特徴とする。
【００１７】
本発明による請求項２記載の通信装置は、請求項１記載の通信装置において、前記手続手段は、前記データ通信端末装置が動作中か否かを判定する判定手段と、該判定手段により前記データ通信端末装置の動作状態が変化したことを判定した際に前記通信開始手続または前記通信終了手続を行う手段とを備えることを特徴とする。
【００１８】
本発明による請求項３記載の通信装置は、請求項１または２記載の通信装置において、前記通信装置は、複数の通信処理手順のうち少なくとも１つ以上の通信手順に基づいて通信処理を行う通信管理手段を有するデータ通信端末装置に接続する通信装置であって、前記通信管理手段が実行する通信処理手順の種別を監視する監視手段と、該監視手段により検出された通信処理手順に基づいて通信終了手続きを行う手段とを備えることを特徴とする。
【００１９】
本発明による請求項４記載の通信装置は、データ通信端末装置に接続する通信装置であって、該通信装置を介して対向するデータ通信端末装置との間でデータ通信を行う複数の通信手段と、該複数の通信手段のそれぞれの所定の通信処理手順に基づく通信の接続を管理する通信管理手段とを備え、該通信管理手段が対向するデータ通信端末装置の通信管理手段との間で、データ通信の開始時の通信開始手続か、もしくは通信の終了時の通信終了手続の、少なくともいずれかの手続きを行う通信装置において、前記データ通信端末装置が動作中か否かを検出する判定手段と、該判定手段により前記データ通信端末装置の動作状態が変化したことを判定した際に、前記複数の通信手段のうちの少なくとも１つの通信手段により前記通信開始手続または前記通信終了手続を行う手段とを備えることを特徴とする。
【発明の効果】
【００２０】
本発明によれば、通信装置に接続のデータ通信端末装置が、対向するデータ通信端末装置とコネクションを維持するために、間欠的に行っていた無線通信を停止して、消費電力を低減することができる通信装置を得ることができる。
【発明を実施するための最良の形態】
【００２１】
以下、本発明の第１の実施の形態を、図１、図２および図３を用いて説明する。
【００２２】
図１は本発明による通信装置（以下、移動局と呼ぶ）の第１の実施の形態を使用した通信システムの構成図である。
【００２３】
図１において、１は相手のデータ通信機能を持った端末装置（以下、基地局と呼ぶ）であり、１１は基地局１のアンテナであり、１２はアンテナ１１を通じて移動局２と無線通信をする基地局１の無線通信器である。
【００２４】
１３はデータ通信レベルコネクションの確立、切断、維持を管理する基地局１のコネクション管理手段であり、１４はコネクション管理手段１３によって管理されたコネクションを利用してデータ通信端末３とデータ通信する基地局１のアプリケーションである。
【００２５】
なお、基地局１のコネクション管理手段１３とアプリケーション１４は、必ずしも基地局１の中に設置する必要は無く、基地局１と通信可能な別な装置としても良い。
【００２６】
また図１において、２は本発明による携帯電話などの通信装置（以下、移動局と呼ぶ）であり、２１はアンテナであり、２２は基地局１と無線通信をする無線通信器であり、２３はデータ通信レベルコネクションの切断処理を行う切断器であり、２４は無線通信器２２の接続をデータ通信端末３と切断器２３との間で切り替えるスイッチであり、２５は切断器２３による切断処理の実行を判定する判定器であり、２６は基地局1とデータ通信端末３との間の通信を監視し、コネクションの確立、切断を検出する通信監視手段である。
【００２７】
また図１において、３はパソコンやＰＤＡなどのデータ通信機能を持った端末装置（以下、データ通信端末と呼ぶ）であり、３１は基地局１のコネクション管理手段１３との間でコネクション型通信を行うデータ通信端末３のコネクション管理手段であり、３２はコネクション管理手段３１の管理する通信を利用して基地局１のアプリケーション１４とデータ通信するデータ通信端末３のアプリケーションであり、３３はデータ通信端末３が電源を切断したり省電力モードに移行するなどして通信を停止した場合に停止通知を移動局２に通知する電力管理手段である。
【００２８】
データ通信端末３の電力管理手段３３が移動局２に伝える停止通知は、例えば移動局２とデータ通信端末３がＲＳ２３２Ｃ規格のシリアル通信で接続されているならば制御線ＥＲの電圧変化として実現できる。
【００２９】
また、移動局２とデータ通信端末３がＰＣＭＣＩＡ規格のインターフェースで接続されているならば、ＰＣＭＣＩＡ規格で定めた電力制御命令を停止通知としても良い。
【００３０】
図２は図１において、データ通信が正常に終了した場合の、基地局１と移動局２とデータ通信端末３の間の通信シーケンスの一例を示すシーケンス図である。
【００３１】
図２において、１１４は基地局１のアプリケーションであり、１１３は基地局１のコネクション管理手段であり、１１２は基地局１側の無線通信器である。１２２は移動局２側の無線通信器であり、１２３は移動局２の切断器であり、１２６は移動局２の通信監視手段であり、１２５は移動局２の判定器である。１３３はデータ通信端末３の電力管理手段であり、１３１はデータ通信端末３のコネクション管理手段であり、１３２はデータ通信端末３のアプリケーションである。
【００３２】
２０１はデータ通信開始要求であり、２０２は無線通信開始要求であり、２０３は無線通信開始手順であり、２０４は無線通信開始通知であり、２０５は無線通信開始通知であり、２０６はデータ通信レベルコネクションの確立手順であり、２０７はデータ通信開始通知であり、２０８はデータ通信開始通知であり、２０９はデータ通信開始通知であり、２１０はデータ通信である。
【００３３】
また、２１１はデータ通信終了要求であり、２１２はデータ通信レベルコネクションの切断手順であり、２１３はデータ通信終了通知であり、２１４は無線通信終了要求であり、２１５は無線通信終了手順である。
【００３４】
図３は図１において、データ通信端末３が省電力モードに移行したり電源を切断するなどしてコネクション型通信の切断処理をせずにデータ通信を停止した場合の、基地局１と移動局２とデータ通信端末３の間の通信シーケンスの一例を示すシーケンス図である。
【００３５】
図３において、データ通信開始要求２０１からデータ通信２１０までのシーケンスは図２と同一である。
【００３６】
図３において図２と異なるのは、データ通信２１０より後のシーケンスであり、２２０はデータ通信端末３の電力管理手段１３３から移動局２の判定器１２５への停止通知であり、２２１は移動局２の判定器１２５から切断器１２３への切断要求であり、２２２は移動局２の切断器１２３と基地局１のコネクション管理手段１１３との間のデータ通信レベルコネクションの切断手順であり、２２３は移動局２の切断器１２３から移動局２の無線通信器１２２への無線通信終了要求であり、２２４は基地局１の無線通信器１１２と移動局２の無線通信器１２２との間の無線通信終了手順である。
【００３７】
次に図１を用いて、本発明の実施の形態による移動局２を使用した通信システムの動作を説明する。
【００３８】
基地局１のアプリケーション１４とデータ通信端末３のアプリケーション３２は、相互にデータ通信することでアプリケーション３２のユーザーにサービスを提供する。アプリケーション１４とアプリケーション３２は具体的には、電子メールのサーバープログラムとクライアントプログラムや、電子地図の配布サーバーと電子地図の表示プログラムなどであっても良い。
【００３９】
基地局１のコネクション管理手段１３とデータ通信端末３のコネクション管理手段３１は、データ通信の開始時に相互に通信することでコネクションの確立手順を実行し、また、データ通信の終了時には相互に通信することでコネクションの切断手順を実行する。データ通信の開始から終了までの間、コネクション管理手段１３とコネクション管理手段３１は、コネクションを管理するための情報を保持する。
【００４０】
基地局１の無線通信器１２と移動局２の無線通信器２２は、それぞれアンテナ１１、アンテナ２１を通して無線通信を行い、コネクション管理手段１３とコネクション管理手段３１に無線通信の機能を提供する。
【００４１】
移動局２の通信監視手段２６はデータ通信端末３と無線通信器１２の間の通信を監視し、コネクション管理手段１３とコネクション管理手段３１との間のコネクションが確立、または切断されたことを検出すると移動局２の判定器２５に通知する。
【００４２】
移動局２のスイッチ２４は、移動局２の判定器２５の指示によって、無線通信器２２に接続する機器をデータ通信端末３と切断器２３との間で切り替え、動作開始時はデータ通信端末３を無線通信器２２に接続している。
【００４３】
データ通信端末３の電力管理手段３３は、データ通信端末３が電源を切断したり省電力モードに移行すると停止通知を移動局２の判定器２５に送る。
【００４４】
移動局２の判定器２５は、通信監視手段２６からデータ通信開始通知を受け取った後、データ通信終了通知を受け取る前にデータ通信端末３の電力管理手段３３から停止通知を受けると、移動局２のスイッチ２４を移動局２の切断器２３側に切り替え、移動局２の切断器２３に切断要求を送る。
【００４５】
移動局２の切断器２３は、移動局２の判定器２５からの指示で基地局１のコネクション管理手段１３との間でコネクションの切断手順を実行する。
【００４６】
次に図２を用いて、本発明の実施の形態による移動局２を使用した通信システムにおいて、データ通信が正常に終了した場合の、基地局１と移動局２とデータ通信端末３の間の通信シーケンスを説明する。
【００４７】
データ通信端末３のアプリケーション１３２は、データ通信を開始する際にデータ通信開始要求２０１をコネクション管理手段１３１に送る。コネクション管理手段１３１は無線通信を開始するために移動局２の無線通信器１２２に無線通信開始要求２０２を送り、移動局２の無線通信器１２２は基地局１の無線通信器１１２との間で無線通信開始手順２０３を実行する。
【００４８】
無線通信開始手順２０３を実行した結果、無線通信が可能になると、移動局２の無線通信器１２２はデータ通信端末３のコネクション管理手段１３１に無線通信開始通知２０４を送る。また、基地局１の無線通信器１１２はコネクション管理手段１１３に無線通信開始通知２０５を送る。
【００４９】
データ通信端末３のコネクション管理手段１３１と基地局１のコネクション管理手段１１３は、それぞれ無線通信開始通知２０４と無線通信開始通知２０５が送られるとデータ通信レベルコネクションの確立手順２０６を実行し、コネクションが確立しデータ通信が可能になるとデータ通信端末３のコネクション管理手段１３１はアプリケーション１３２にデータ通信開始通知２０７を送る。また、基地局１のコネクション管理手段１１３はアプリケーション１１４にデータ通信開始通知２０８を送る。
【００５０】
また、コネクション管理手段１３１とコネクション管理手段１１３の間の通信を監視していた移動局２の通信監視手段１２６は、コネクションの確立を検出すると、データ通信開始通知２０９を判定器１２５に送る。
【００５１】
データ通信端末３のアプリケーション１３２と基地局１のアプリケーション１１４は、それぞれデータ通信開始通知２０７とデータ通信開始通知２０８が送られるとデータ通信２１０を始め、ユーザーに対して電子メールの受信や電子地図の表示などのサービスを提供する。
【００５２】
次に、データ通信端末３のアプリケーション１３２が通信を終了し、通信終了通知２１１をコネクション管理手段１３１に送ると、データ通信端末３のコネクション管理手段１３１と基地局１のコネクション管理手段１１３とはデータ通信レベルコネクションの切断手順２１２を実行する。
【００５３】
なお、データ通信端末３のコネクション管理手段１３１へデータ通信の終了を指示するのは、アプリケーション１３２でなくてユーザーであっても良い。
【００５４】
コネクション管理手段１３１とコネクション管理手段１１３の間の通信を監視していた移動局２の通信監視手段１２６は、コネクションの切断を検出すると、データ通信終了通知２１３を判定器１２５に送る。
【００５５】
コネクションを切断すると、データ通信端末３のコネクション管理手段１３１は移動局２の無線通信器１２２に無線通信終了要求２１４を送り、移動局２の無線通信器１２２と基地局１の無線通信器１１２の間で無線通信終了手順２１５が実行され、無線通信を終了する。
【００５６】
上記のように、データ通信の終了後もデータ通信端末３が動作している場合には、データ通信端末３のコネクション管理手段１３１と基地局１のコネクション管理手段１１３はデータ通信レベルコネクションの切断手順２１２を実行し、コネクション管理手段１３１とコネクション管理手段１１３はコネクションを維持するために保持していた情報を破棄することができる。
【００５７】
また、データ通信端末３のコネクション管理手段１３１から移動局２の無線通信器１１２に無線通信の終了を要求し、無線通信器１１２の動作を停止して電力の消費を減らすことができる。
【００５８】
次に図３を用いて、本発明の実施の形態による移動局２を使用した通信システムにおいて、データ通信端末３が省電力モードに移行したり電源を切断するなどしてコネクションの切断処理をせずにデータ通信を停止した場合の、基地局１と移動局２とデータ通信端末３の間の通信シーケンスを説明する。
【００５９】
図３において、アプリケーション１３２のデータ通信開始要求２０１からデータ通信２１０の開始までは、図２と同じように動作する。
【００６０】
ついで、データ通信端末３が省電力モードに移行したり、データ通信端末３の電源を切るなどして、コネクションの切断処理をせずにデータ通信を停止すると、データ通信端末３の電力管理手段１３３は停止通知２２０を移動局２の判定器１２５に送る。
【００６１】
移動局２の判定器１２５は停止通知２２０を受けると、スイッチ２４を切断器１２３側に切り替え、切断器１２３に切断要求２２１を送る。切断器１２３は、切断要求２２１を受けると基地局１のコネクション管理手段１１３との間でデータ通信レベルコネクションの切断手順２２２を実行する。
【００６２】
コネクションを切断すると、移動局２の切断器１２３は移動局２の無線通信器１２２に無線通信終了要求２２３を送り、移動局２の無線通信器１２２と基地局１の無線通信器１１２は無線通信終了手順２２４を実行し、無線通信を終了する。
【００６３】
なお、移動局２の判定器１２５は、データ通信開始通知２０９の有無に関わらず、停止通知２２０を受けるだけで切断要求２２１を発行しても良く、その場合通信監視手段１２６は不要となる。
【００６４】
上記のように、データ通信端末３がデータ通信レベルコネクションの切断手順２１２を実行する前に通信を停止した場合には、本実施の形態では移動局２の切断器１２３が基地局１のコネクション管理手段１１３との間でデータ通信レベルコネクションの切断手順２２２を実行し、コネクションを切断する。
【００６５】
これにより基地局１のコネクション管理手段１１３はコネクションを維持するために保持していた情報を破棄することができ、この情報が占有していた記憶領域を解放することができる。
【００６６】
また、移動局２の無線通信器１２２に対して、データ通信端末３の代わりに移動局２の切断器１２３が無線通信終了要求２２３を発行し、無線通信を終了することができる。
【００６７】
次に、本発明の第２の実施の形態を、図４および図５を用いて説明する。
【００６８】
本実施の形態は、基地局１とデータ通信端末３の間で行うコネクション型データ通信のプロトコルが複数あり、使用するプロトコルを選択可能としている事が第１の実施の形態と異なる。
【００６９】
図４は本発明による通信装置（以下、移動局と呼ぶ）の第２の実施の形態を使用した通信システムの構成図である。
【００７０】
図４において、１は相手のデータ通信機能を持った端末装置（以下、基地局と呼ぶ）であり、１１は基地局１のアンテナであり、１２はアンテナ１１を通じて移動局２と無線通信をする基地局１の無線通信器である。
【００７１】
１３ａはデータ通信レベルコネクションの接続、切断、維持を管理する基地局１のコネクション管理手段Ａであり、１３ｂはコネクション管理手段Ａ１３aとは異なるプロトコルのデータ通信レベルコネクションの接続、切断、維持を管理する基地局１のコネクション管理手段Ｂである。
【００７２】
１４はコネクション管理手段Ａ１３aまたはコネクション管理手段Ｂ１３ｂによって管理されたコネクション型通信を利用してデータ通信端末３とデータ通信する基地局１のアプリケーションである。
【００７３】
なお、基地局１のコネクション管理手段Ａ１３a、コネクション管理手段Ｂ１３ｂおよびアプリケーション１４は、必ずしも基地局１の中に設置する必要は無く、基地局１と通信可能な別な装置としても良い。
【００７４】
また図４において、２は本発明による携帯電話などの通信装置（以下、移動局と呼ぶ）であり、２１は移動局２のアンテナであり、２２は基地局１と無欄通信をする移動局２の無線通信器である。
【００７５】
２３ａは基地局１のコネクション管理手段Ａ１３aとの間でコネクションの切断処理を行う移動局２の切断器Ａであり、２３ｂは基地局１のコネクション管理手段Ｂ１３ｂとの間でコネクションの切断処理を行う移動局２の切断器Ｂであり、２４は無線通信器２２の接続をデータ通信端末３と、切断器Ａ２３ａおよび切断器Ｂ２３ｂとの間で切り替える移動局２のスイッチである。
【００７６】
２５は切断器Ａ２３ａまたは切断器Ｂ２３ｂによる切断処理の実行を判定する移動局２の判定器であり、２６は基地局1とデータ通信端末３との間の通信を監視し、コネクション型通信のプロトコルの種類と接続、切断を検出する移動局２の通信監視手段である。
【００７７】
３はパソコンやＰＤＡなどのデータ通信機能を持った端末装置（以下、データ通信端末と呼ぶ）であり、３１ａは基地局１のコネクション管理手段Ａ１３aとの間でコネクション型通信を行うデータ通信端末３のコネクション管理手段Ａであり、３１ｂは基地局１のコネクション管理手段Ｂ１３ｂとの間でコネクション型通信を行うデータ通信端末３のコネクション管理手段Ｂである。
【００７８】
３２はコネクション管理手段Ａ３１ａまたはコネクション管理手段Ｂ３１ｂの管理する通信を利用して基地局１のアプリケーション１４とデータ通信するデータ通信端末３のアプリケーションであり、３３はデータ通信端末３が電源を切断したり省電力モードに移行するなどして通信を停止した場合に停止通知を移動局に通知するデータ通信端末３の電力管理手段である。
【００７９】
データ通信端末３の電力管理手段３３がデータ通信端末３に伝える停止通知は、例えば移動局２とデータ通信端末３がＲＳ２３２Ｃ規格のシリアル通信で接続されているならば制御線ＥＲの電圧変化として実現できる。また、移動局２とデータ通信端末３がＰＣＭＣＩＡ規格のインターフェースで接続されているならば、ＰＣＭＣＩＡ規格で定めた電力制御命令を停止通知としても良い。
【００８０】
図５は図４において、データ通信端末３が省電力モードに移行したり電源を切断するなどしてコネクションの切断処理をせずにデータ通信を終了した場合の、基地局１と移動局２とデータ通信端末３の間の通信シーケンスの一例を示すシーケンス図である。
【００８１】
図５において、１１４は基地局１のアプリケーションであり、１１３ａは基地局１のコネクション管理手段Ａであり、１１３ｂは基地局１のコネクション管理手段Ｂであり、１１２は基地局１側の無線通信器である。
【００８２】
１２２は移動局２側の無線通信器であり、１２３ａは移動局２の切断器Ａであり、１２３ｂは移動局２の切断器Ｂであり、１２６は移動局２の通信監視手段であり、１２５は移動局２の判定器である。
【００８３】
１３３はデータ通信端末３の電力管理手段であり、１３１ａはデータ通信端末３のコネクション管理手段Ａであり、１３１ｂはデータ通信端末３のコネクション管理手段Ｂであり、１３２はデータ通信端末３のアプリケーションである。
【００８４】
２０１はデータ通信開始要求であり、２０２は無線通信開始要求であり、２０３は無線通信開始手順であり、２０４は無線通信開始通知であり、２０５は無線通信開始通知であり、２０６はデータ通信レベルコネクションの確立手順であり、２０７はデータ通信開始通知であり、２０８はデータ通信開始通知であり、２０９はデータ通信開始通知であり、２１０はデータ通信である。
【００８５】
また、２２０は停止通知であり、２２１は切断要求であり、２２２はデータ通信レベルコネクションの切断手順であり、２２３は無線通信終了要求であり、２２４は無線通信終了手順である。
【００８６】
次に図４を用いて、本発明の実施の形態による移動局２を使用した通信システムの動作を説明する。
【００８７】
基地局１のアプリケーション１４とデータ通信端末３のアプリケーション３２は、相互にデータ通信することでアプリケーション３２のユーザーにサービスを提供する。アプリケーション１４とアプリケーション３２は具体的には、電子メールのサーバープログラムとクライアントプログラムや、電子地図の配布サーバーと電子地図の表示プログラムなどであっても良い。
【００８８】
基地局１のコネクション管理手段Ａ１３ａとデータ通信端末３のコネクション管理手段Ａ３１ａは、データ通信の開始時に相互に通信することでコネクションの確立手順を実行し、データ通信の終了時には相互に通信することでコネクションの切断手順を実行する。
【００８９】
また、基地局１のコネクション管理手段Ｂ１３ｂデータ通信端末３のコネクション管理手段Ｂ３１ｂは、データ通信の開始時に相互に通信することでコネクションの確立手順を実行し、データ通信の終了時には相互に通信することでコネクションの切断手順を実行する。
【００９０】
コネクション管理手段Ａ１３ａとコネクション管理手段Ａ３１ａの間で行われる通信と、コネクション管理手段Ｂ１３ｂとコネクション管理手段Ｂ３１ｂの間で行われる通信はプロトコルが異なり、それぞれ異なる手順でコネクションの確立と切断を行うものとする。
【００９１】
基地局１の無線通信器１２と移動局２の無線通信器２２は、それぞれアンテナ１１、アンテナ２１を通して無線通信を行い、コネクション管理手段Ａ１３ａとコネクション管理手段Ａ３１ａとコネクション管理手段Ｂ１３ｂとコネクション管理手段Ｂ３１ｂに無線通信の機能を提供する。
【００９２】
移動局２の通信監視手段２６はデータ通信端末３と無線通信器１２の間の通信を監視し、コネクション管理手段Ａ１３ａとコネクション管理手段Ａ３１ａ、またはコネクション管理手段Ｂ１３ｂとコネクション管理手段Ｂ３１ｂの間でコネクションの確立、または切断があったことを検出すると、コネクションを確立、または切断したプロトコルの種別とともに移動局２の判定器２５に通知する。
【００９３】
移動局２のスイッチ２４は、移動局２の判定器２５の指示によって、移動局２の無線通信器２２に接続する機器をデータ通信端末３と、移動局２の切断器Ａ２３ａおよび切断器Ｂ２３ｂｓの間で切り替え、動作開始時はデータ通信端末３を無線通信器２２に接続している。
【００９４】
データ通信端末３の電力管理手段３３は、データ通信端末３が電源を切断したり省電力モードに移行すると停止通知を移動局２の判定器２５に送る。
【００９５】
移動局２の判定器２５は、移動局２の通信監視手段２６からデータ通信開始通知を受け取った後、データ通信終了通知を受け取る前にデータ通信端末３の電力管理手段３３から停止通知を受けると、現在コネクションを確立しているプロトコルの種別に合わせて、移動局２のスイッチ２４を移動局２の切断器Ａ２３ａまたは切断器Ｂ２３ｂ側に切り替え、該切断器に切断要求を送る。
【００９６】
移動局２の切断器Ａ２３ａまたは切断器Ｂ２３ｂは、切断要求を受けると基地局１のコネクション管理手段Ａ１３ａまたはコネクション管理手段Ｂ１３ｂとの間でコネクションの切断手順を実行する。
【００９７】
次に図５を用いて、本発明の実施の形態による移動局２を使用した通信システムにおいて、データ通信端末が省電力モードに移行したり電源を切断するなどしてコネクションの切断処理をせずにデータ通信を停止した場合の、基地局１と移動局２とデータ通信端末３の間の通信シーケンスを説明する。
【００９８】
データ通信端末３のアプリケーション１３２は、データ通信を開始する際にデータ通信の内容に適したプロトコルを持つコネクション管理手段を選択し、データ通信開始要求２０１を送る。図５ではデータ通信端末３のコネクション管理手段Ａ１３１ａを選択した場合を示す。なお、コネクション型通信のプロトコルは、基地局１との通信条件の折衝によって選択しても良い。
【００９９】
データ通信端末３のコネクション管理手段Ａ１３１ａは無線通信を開始するために無線通信開始要求２０２を移動局２の無線通信器１２２に送り、移動局２の無線通信器１２２は基地局１の無線通信器１１２との間で無線通信開始手順２０３を実行する。その際、移動局２の無線通信器１２２は、無線通信開始要求２０２を発行したコネクション管理手段のプロトコル種別を、無線通信開始手順２０３によって基地局１の無線通信器１１２に通知する。
【０１００】
無線通信開始手順２０３を実行した結果、無線通信が可能になると、移動局２の無線通信器１２２はデータ通信端末３のコネクション管理手段Ａ１３１ａに無線通信開始通知２０４を送る。また、基地局１の無線通信器１１２は無線通信開始手順２０３の際に移動局２から送られたコネクション型通信のプロトコル種別に従い、基地局１のコネクション管理手段Ａ１１３ａに無線通信開始通知２０５を送る。
【０１０１】
データ通信端末３のコネクション管理手段Ａ１３１ａと基地局１のコネクション管理手段Ａ１１３ａは、それぞれ無線通信開始通知２０４と無線通信開始通知２０５が送られるとデータ通信レベルコネクションの確立手順２０６を実行し、これによりデータ通信が可能になるとデータ通信端末３のコネクション管理手段Ａ１３１ａはデータ通信端末３のアプリケーション１３２にデータ通信開始通知２０７を送る。また、基地局１のコネクション管理手段Ａ１１３ａは基地局１のアプリケーション１１４にデータ通信開始通知２０８を送る。
【０１０２】
また、データ通信端末３のコネクション管理手段Ａ１３１ａと基地局１のコネクション管理手段Ａ１１３ａの間の通信を監視していた移動局２の通信監視手段１２６は、コネクションの確立を検出すると、検出した通信のプロトコルの種別を内容として含んだデータ通信開始通知２０９を移動局２の判定器１２５に送る。
【０１０３】
データ通信端末３のアプリケーション１３２と基地局１のアプリケーション１１４は、それぞれデータ通信開始通知２０７とデータ通信開始通知２０８が送られるとデータ通信２１０を始め、ユーザーに対して電子メールの受信や電子地図の表示などのサービスを提供する。
【０１０４】
ここで、データ通信端末３が省電力モードに移行したり、データ通信端末３の電源を切るなどして、コネクションの切断処理をせずにデータ通信を停止すると、データ通信端末３の電力管理手段１３３は停止通知２２０を移動局２の判定器１２５に送る。
【０１０５】
移動局２の判定器１２５は停止通知２２０を受けると、データ通信開始通知２０９で通知されたプロトコル種別から切断手順に使用すべき移動局２の切断器を切断器Ａ１２３ａであると判定し、移動局２のスイッチ２４を移動局２の切断器Ａ１２３ａ側に切り替え、切断器Ａ１２３ａに切断要求２２１を送る。
【０１０６】
移動局２の切断器Ａ１２３ａは、切断要求２２１を受けると基地局１のコネクション管理手段Ａ１１３ａとの間でデータ通信レベルコネクションの切断手順２２２を実行する。
【０１０７】
なお、１つの切断器が実行する切断手順が他の切断器の切断手順に影響を及ぼさない場合には、移動局２の判定器１２５はデータ通信開始通知２０９で通知されるプロトコル種別によらず、全ての切断器に切断要求を発行しても良い。その場合は、通信監視手段１２６は不要である。
【０１０８】
データ通信が終了すると、移動局２の切断器Ａ１２３ａは移動局２の無線通信器１２２に無線通信終了要求２２３を送り、移動局２の無線通信器１２２と基地局１の無線通信器１１２は無線通信終了手順２２４を実行し、無線通信を終了する。
【０１０９】
本実施の形態では、データ通信のプロトコルを選択可能なシステムにおいても適切な切断処理を行い、これにより基地局１のデータ通信を終了状態にできる。
【０１１０】
本実施の形態はプロトコルが２種類の場合を説明しているが、さらに多くのプロトコルを備えた通信システムにおいても同様に対応できることは言うまでも無い。
【０１１１】
次に、本発明の第３の実施の形態を、図６および図７を用いて説明する。
【０１１２】
本実施の形態は、携帯電話の基地局１と移動局２が複数の無線通信手段を持ち、それぞれの無線通信手段が基地局１と移動局２の間で無線通信レベルコネクションを維持する場合に、そのうちの１つ以上の無線通信手段でのコネクションの確立と切断を制御するものである。
【０１１３】
図６は本発明による通信装置（以下、移動局と呼ぶ）の第３の実施の形態を使用した通信システムの構成図である。
【０１１４】
図６において、１は相手のデータ通信機能を持った端末装置（以下、基地局と呼ぶ）であり、１１は基地局１のアンテナであり、１２ａはアンテナ１１を通じて移動局２と無線通信をする基地局１の無線通信器Ａであり、１２ｂは無線通信器Ａ１２ａとは異なる通信方式の基地局１の無線通信器Ｂである。
【０１１５】
１３ａは無線通信器Ａ１２ａを通して行う無線通信の無線通信レベルコネクションの接続、切断、維持を管理する基地局１のコネクション管理手段Ａであり、１３ｂは無線通信器Ｂ１２ｂを通して行う無線通信の無線通信レベルコネクションの接続、切断、維持を管理する基地局１のコネクション管理手段Ｂである。
【０１１６】
１４はコネクション管理手段Ａ１３ａまたはコネクション管理手段Ｂ１３ｂによってコネクションを管理された無線通信を利用してデータ通信端末３とデータ通信する基地局１のアプリケーションである。
【０１１７】
なお、アプリケーション１４は、必ずしも基地局１の中に設置する必要は無く、基地局１と通信可能な別な装置としても良い。
【０１１８】
また図６において、２は本発明による携帯電話などの通信装置（以下、移動局と呼ぶ）であり、２１は移動局２のアンテナであり、２２ａは基地局１の無線通信器Ａ１２ａと無線通信をする移動局２の無線通信器Ａであり、２２ｂは基地局１の無線通信器Ｂ１２ｂと無線通信をする移動局２の無線通信器Ｂである。
【０１１９】
２７ａは基地局１のコネクション管理手段Ａ１３ａとの間でコネクション型通信を行う移動局２のコネクション管理手段Ａであり、２７ｂは基地局１のコネクション管理手段Ｂ１３ｂとの間でコネクション型通信を行う移動局２のコネクション管理手段Ｂであり、２５はコネクション管理手段にコネクションの切断、接続を指示する移動局２の判定器である。
【０１２０】
３はパソコンやＰＤＡなどのデータ通信機能を持った端末装置（以下、データ通信端末と呼ぶ）であり、３２は移動局２を利用して基地局１のアプリケーション１４とデータ通信するデータ通信端末３のアプリケーションであり、３３はデータ通信端末３の電力管理手段である。
【０１２１】
図７は図６において、データ通信端末３が省電力モードに移行したり電源を切断するなどでいったん停止した後、基地局１側のアプリケーションによってデータ通信端末３が再起動してデータ通信を開始する場合の、基地局１と移動局２とデータ通信端末３の間の通信シーケンスの一例を示すシーケンス図である。
【０１２２】
図７において、１１４は基地局１のアプリケーションであり、１１３ａは基地局１のコネクション管理手段Ａであり、１１３ｂは基地局１のコネクション管理手段Ｂであり、１１２ａは基地局１側の無線通信器Ａであり、１１２ｂは基地局１側の無線通信器Ｂである。
【０１２３】
１２２ａは移動局２側の無線通信器Ａであり、１２２ｂは移動局２側の無線通信器Ｂであり、１２７ａは移動局２のコネクション管理手段Ａであり、１２７ｂは移動局２のコネクション管理手段Ｂであり、１２５は移動局２の判定器である。
【０１２４】
１３３はデータ通信端末３の電力管理手段であり、１３２はデータ通信端末３のアプリケーションである。
【０１２５】
２２０は停止通知あり、２２１は切断要求であり、２３０は無線通信レベルのコネクション切断手順である。
【０１２６】
２３１はデータ通信開始要求であり、２３２は転送メッセージであり、２３３はデータ通信開始要求であり、２３４は起動要求であり、２３５は起動通知であり、２３６はコネクション要求であり、２３７は無線通信レベルコネクションの確立手順であり、２３８はデータ通信開始通知であり、２３９はデータ通信開始通知であり、２４０はデータ通信である。
【０１２７】
なお、本実施の形態では無線通信手段が２つあるため、シーケンスが使用する無線通信手段を明らかにするため、それぞれのシーケンスの無線通信の区間を点線表示とした。
【０１２８】
例えば、データ通信２３８のシーケンスでは、基地局１の無線通信器Ｂ１１２ｂと移動局２の無線通信器Ｂ１２２ｂとの間を点線表示として、無線通信による区間であることを示している。
【０１２９】
次に図６を用いて、本発明の実施の形態による移動局２を使用した通信システムの動作を説明する。
【０１３０】
基地局１のアプリケーション１４とデータ通信端末３のアプリケーション３２は、相互にデータ通信することでアプリケーション３２のユーザーにサービスを提供する。アプリケーション１４とアプリケーション３２は具体的には、電子メールのサーバープログラムとクライアントプログラムや、ニュースの配布サーバーと表示プログラムなどであっても良い。
【０１３１】
移動局２が基地局１の通信領域に進入すると、基地局１のコネクション管理手段Ａ１３ａと移動局２のコネクション管理手段Ａ３１ａは、相互に通信することでコネクションの確立手順を実行し、以後、移動局２が基地局１の通信領域内にいる間、無線通信レベルのコネクションを維持しつづける。
【０１３２】
また、基地局１のコネクション管理手段Ｂ１３ｂと移動局２のコネクション管理手段Ｂ３１ｂも、相互に通信することでコネクションの確立手順を実行し、移動局２が基地局１の通信領域内にいる間、無線通信レベルのコネクションを維持しつづける。
【０１３３】
基地局１の無線通信器Ａ１２ａと移動局２の無線通信器Ａ２２ａは、それぞれアンテナ１１、アンテナ２１を通して無線通信を行い、コネクション管理手段Ａ１３ａとコネクション管理手段Ａ２７ａに無線通信の機能を提供する。
【０１３４】
また、基地局１の無線通信器Ｂ１２ｂと移動局２の無線通信器Ｂ２２ｂは、それぞれアンテナ１１、アンテナ２１を通して無線通信を行い、コネクション管理手段Ｂ１３ｂとコネクション管理手段Ｂ２７ｂに無線通信の機能を提供する。
【０１３５】
データ通信端末３の電力管理手段３３は、データ通信端末３の電源を切断するか、または省電力モードに移行する際に、停止通知を移動局２の判定器２５に送り、また、データ通信端末３の電源が投入されるか、または省電力モードからの復帰を開始する際に起動通知を移動局２の判定器２５に送る。
【０１３６】
移動局２の判定器２５は、データ通信端末３の電力管理手段３３から停止通知を受けると、コネクション管理手段Ｂ２７ｂにコネクションの切断を要求し、またデータ通信端末３の電力管理手段３３から起動通知を受けた場合には、コネクションの確立を要求する。
【０１３７】
また、基地局１のアプリケーション１４は、コネクション管理手段Ｂ１３ｂのコネクションが切断された状態の移動局２に対して、コネクション管理手段Ｂ１３ｂのコネクションを通じたデータ通信を開始したい場合、コネクション管理手段Ａ１３ａを経由してデータ通信開始要求を移動局２の判定器２５に送る。
【０１３８】
移動局２の判定器２５はデータ通信開始要求を受けるとデータ通信端末３の電力管理手段３３に起動要求を送り、また基地局１のコネクション管理手段Ｂ１３ｂにコネクション要求を送ってコネクションの確立を要求する。
【０１３９】
データ通信端末３の電力管理手段３３は、移動局２の判定器２５から起動要求を受けると、データ通信端末３の電源を投入または省電力モードからの復帰処理を開始し、起動通知を移動局２の判定器２５に返す。
【０１４０】
基地局１のコネクション管理手段Ｂ１３ｂは、コネクション要求を受けると、基地局１のコネクション管理手段Ｂ１３ｂとの間で無線通信レベルコネクションの確立手順を実行し、コネクションが確立し、以後、基地局１のアプリケーション１４とデータ通信端末３のアプリケーション３２は通信が可能になる。
【０１４１】
次に図７を用いて、本発明による移動局を使用した通信システムにおいて、データ通信端末３が電源を切断、または省電力モードに移行していったん停止した後、再起動してデータ通信を開始する場合の、基地局１と移動局２とデータ通信端末３の間の通信シーケンスを説明する。
【０１４２】
データ通信端末３の電力管理手段１３３は、データ通信端末３の電源を切断した場合や省電力モードに移行する際に、停止通知２２０を移動局２の判定器１２５に送る。移動局２の判定器１２５は移動局２のコネクション管理手段Ｂ１２７ｂに切断要求２２１を送り、移動局２のコネクション管理手段Ｂ１２７ｂは切断要求２２１を受けると、基地局１のコネクション管理手段Ｂ１１３ｂとの間で無線通信レベルコネクションの切断手順２３０を行い、コネクションを切断する。
【０１４３】
これにより、基地局１のコネクション管理手段Ｂ１１３ｂは、移動局２とのコネクションを維持するために保持していた情報を破棄して記憶領域を解放でき、また移動局２ではコネクションを維持するために間欠的に通信をする必要が無くなり、消費電力を低減することができる。
【０１４４】
次に、基地局１のアプリケーション１１４からの要求で、コネクション管理手段Ｂを利用したデータ通信を再開する場合のシーケンスを説明する。
【０１４５】
基地局１のアプリケーション１１４が移動局２とコネクション管理手段Ｂを利用したデータ通信を再開する場合には、アプリケーション１１４はデータ通信開始要求２３１を基地局１のコネクション管理手段Ａ１１３ａに送る。
【０１４６】
基地局１のコネクション管理手段Ａ１１３ａは、データ通信開始要求２３１を転送メッセージ２３１として移動局２のコネクション管理手段Ａ１２３ａに転送する。この際、基地局１のコネクション管理手段Ａ１１３ａは移動局２との間でコネクションを維持しているため、コネクション確立の手順を踏まずに即座に転送することができる。
【０１４７】
移動局２のコネクション管理手段Ａ１２７ａは、転送メッセージ２３２を受けるとデータ通信開始要求２３３を移動局２の判定器１２５に送る。
【０１４８】
移動局２の判定器１２５はデータ通信開始要求２３３を受けると、データ通信端末３の電力管理手段１３３に起動要求２３４を送る。
【０１４９】
データ通信端末３の電力管理手段１３３は起動要求２３４を受けると、データ通信端末３の電源を投入、または省電力モードから復帰するための起動処理を開始する。また、データ通信端末３の電力管理手段１３３は起動処理の開始を通知する起動通知２３５を移動局２の判定器１２５に送り、移動局２の判定器１２５はコネクション要求２３６を移動局２のコネクション管理手段Ｂ１２７ｂに送る。
【０１５０】
移動局２のコネクション管理手段Ｂ１２７ｂは、コネクション要求２３６を受けると基地局１のコネクション管理手段Ｂ１１３ｂとの間で無線通信レベルコネクションの確立手順２３７を行い、コネクションを確立する。
【０１５１】
コネクションが確立すると、基地局１のコネクション管理手段Ｂ１１３ｂは基地局１のアプリケーション１１４にデータ通信開始通知２３８を送り、また移動局２のコネクション管理手段Ｂ１２７ｂはデータ通信端末３のアプリケーション１３２にデータ通信開始通知２３９を送る。
【０１５２】
データ通信端末３の起動処理が完了すると、基地局１のアプリケーション１１４とデータ通信端末３のアプリケーション１３２はデータ通信２４０を開始し、データ通信端末３のユーザーに対して、電子メールの着信通知やニュースの配布などのサービスを提供する。
【０１５３】
上記の無線通信レベルコネクションの確立手順２３７相応の時間を必要とするが、データ通信端末３の起動にも時間がかかるため、データ通信開始までの遅れは実質無視できるか、あるいは最低限に抑えられる。
【０１５４】
上記では、基地局１のアプリケーション１１４においてデータ通信を再開する要求が発生した場合のシーケンスを説明しているが、データ通信端末３のアプリケーション１３２においてデータ通信を再開する要求が発生した場合には、アプリケーション１３２が起動通知２３５を移動局２の判定器１２５に送り、これを契機に移動局２の判定器１２５がコネクション要求２３６を移動局２のコネクション管理手段１２７ｂに発行しても良い。
【０１５５】
以上説明したように、本実施の形態では、データ通信端末が電源断、または省電力モードへ移行したことを判定する手段を移動局に設け、電源断、または省電力モードへの移行を検知すると、無線通信レベル、およびデータ通信レベルのコネクションの切断処理を行う。
【０１５６】
また、データ通信端末の電源投入、または省電力モードからの復帰を検知する手段を移動局に設け、電源投入、または省電力モードからの復帰を検知したならば、無線通信レベルのコネクションの確立処理を行う。
【０１５７】
これにより、データ通信端末が電源断、または省電力モードへ移行すると、以後、移動局は無線通信レベルコネクションを維持するための通信を行わないため、電力の消費を抑えることができる。
【０１５８】
また、データ通信端末がデータ通信レベルのコネクション切断処理をしないまま通信を停止した際には、移動局がデータ通信端末に代わってデータ通信レベルのコネクション切断処理を行うため、データ通信端末と通信していたゲートウェイ装置では、コネクションを維持するために保持していた情報を破棄し、記憶領域を解放することができる。
【０１５９】
またデータ通信端末が再び通信を開始する際には、データ通信端末の電源投入、または省電力モードからの復帰したことを移動局が検知し、無線通信レベルのコネクション確立処理を開始する。
【０１６０】
データ通信端末が起動、または省電力モードから復帰してデータ通信が可能になるまでには相応の時間がかかるため、その間に移動局が無線通信レベルのコネクションを確立することができる。
【０１６１】
また携帯電話には、無線通信手段を複数搭載して、それぞれに無線通信レベルのコネクションを維持する製品があり、そのような携帯電話では、全ての無線通信手段のコネクションを維持せず、いくつかの無線通信手段の動作を休止することで電力消費を減らすことができる。
【０１６２】
その際、例えば消費電力が多く高速な無線通信手段のコネクションを切断し、消費電力が少なく低速な無線通信手段のコネクションを維持すれば、移動局は常時、着信を受けることが出来ると同時に、低速な無線通信手段への着信を契機に高速な無線通信手段のコネクションを確立して実際の使用中の通信速度を高速なものに出来る。
【図面の簡単な説明】
【０１６３】
【図１】本発明による通信装置（移動局）の第１の実施の形態を使用した通信システムの構成図である。
【図２】図１において、データ通信が正常に終了した場合の、基地局と移動局とデータ通信端末の間の通信シーケンスの一例を示すシーケンス図である。
【図３】図１において、データ通信端末が省電力モードに移行したり電源を切断するなどしてコネクション型通信の切断処理をせずにデータ通信を停止した場合の、基地局と移動局とデータ通信端末の間の通信シーケンスの一例を示すシーケンス図である。
【図４】本発明による通信装置（移動局）の第２の実施の形態を使用した通信システムの構成図である。
【図５】図４において、データ通信端末が省電力モードに移行したり電源を切断するなどしてコネクションの切断処理をせずにデータ通信を終了した場合の、基地局と移動局とデータ通信端末の間の通信シーケンスの一例を示すシーケンス図である。
【図６】本発明による通信装置（移動局）の第３の実施の形態を使用した通信システムの構成図である。
【図７】図６において、データ通信端末が省電力モードに移行したり電源を切断するなどでいったん停止した後、基地局側のアプリケーションによってデータ通信端末が再起動してデータ通信を開始する場合の、基地局と移動局とデータ通信端末の間の通信シーケンスの一例を示すシーケンス図である。
【符号の説明】
【０１６４】
１…基地局、１１…アンテナ、１２…無線通信器、１２ａ…無線通信器Ａ、１２ｂ…無線通信器Ｂ、１３…コネクション管理手段、１３ａ…コネクション管理手段Ａ、１３ｂ…コネクション管理手段Ｂ、１４…アプリケーション、２…移動局、２１…アンテナ、２２…無線通信器、２２ａ…無線通信器Ａ、２２ｂ…無線通信器Ｂ、２３…切断器、２３ａ…切断器Ａ、２３ｂ…切断器Ｂ、２４…スイッチ、２５…判定器、２６…通信監視手段、２７ａ…コネクション管理手段Ａ、２７ｂ…コネクション管理手段Ｂ、３…データ通信端末、３１…コネクション管理手段、３１ａ…コネクション管理手段Ａ、３１ｂ…コネクション管理手段Ｂ、３２…アプリケーション、３３…電力管理手段、１１２…無線通信器、１１２ａ…無線通信器Ａ、１１２ｂ…無線通信器Ｂ、１１３…コネクション管理手段、１１３ａ…コネクション管理手段Ａ、１１３ｂ…コネクション管理手段Ｂ、１１４…アプリケーション、１２２…無線通信器、１２２ａ…無線通信器Ａ、１２２ｂ…無線通信器Ｂ、１２３…切断器、１２３ａ…切断器Ａ、１２３ｂ…切断器Ｂ、１２５…判定器、１２６…通信監視手段、１２７ａ…コネクション管理手段Ａ、１２７ｂ…コネクション管理手段Ｂ、１３１…コネクション管理手段、１３１ａ…コネクション管理手段Ａ、１３１ｂ…コネクション管理手段Ｂ、１３２…アプリケーション、１３３…電力管理手段、２０１…データ通信開始要求、２０２…無線通信開始要求、２０３…無線通信接続手順、２０４…無線通信接続通知、２０５…無線通信接続通知、２０６…データ通信レベルコネクションの確立手順、２０７…データ通信接続通知、２０８…データ通信接続通知、２０９…データ通信接続通知、２１０…データ通信、２１１…データ通信終了要求、２１２…データ通信レベルコネクションの切断手順、２１３…データ通信終了通知、２１４…無線通信終了要求、２１５…無線通信終了手順、２２０…停止通知、２２１…切断要求、２２２…データ通信レベルコネクションの切断手順、２２３…無線通信終了要求、２２４…無線通信終了手順、２３０…無線通信レベルコネクションの切断手順、２３１…データ通信開始要求、２３２…転送メッセージ、２３３…データ通信開始要求、２３４…起動要求、２３５…起動通知、２３６…コネクション要求、２３７…無線通信レベルコネクションの確立手順、２３８…データ通信開始通知、２３９…データ通信開始通知、２４０…データ通信。
【図１】
2005151504.tif 000003
【図２】
2005151504.tif 000004
【図３】
2005151504.tif 000005
【図４】
2005151504.tif 000006
【図５】
2005151504.tif 000007
【図６】
2005151504.tif 000008
【図７】
2005151504.tif 000009